(57)【要約】【課題】同一の認識番号で複数の通信機と通信を行うことが可能な通信制御方法およびシステムを提供する。【解決手段】所有者３０が保有する複数の通信機３１〜３５に同一の認識番号が付与されるとともに、それぞれの通信機を識別する固有の識別番号とその通信機の通信機能ないし通信状態を識別する識別子が付与され、通信機ごとに、これら付与された認識番号と識別番号と識別子が組にして記憶装置２４に格納され、保存される。通信制御装置２３は、発信者３０の携帯電話１５から受信者３０の携帯電話３５にそれに付与された認識番号を用いて通信を行ったとき、その認識番号を有する通信機の中からそれぞれの通信機に付与された識別子に基づいて受信可能な通信機３１、３５を特定し、その特定された通信機に発信側の携帯電話１５からの通信情報を送信するように通信を制御する。【選択図】図５
2008085405.tif 000002
【特許請求の範囲】
【請求項１】
発信側の通信機からの通信情報を受信側の通信機に送信するときの通信を制御する通信制御方法であって、
所有者が保有する複数の通信機にそれぞれ付与された同一の認識番号と、それぞれの通信機を識別する固有の識別番号と、その通信機の通信機能ないし通信状態を識別する識別子とを通信機ごとに組にして格納し、
発信側の通信機から受信側の通信機に付与された認識番号を用いて通信を行ったとき、前記格納された該認識番号を有する通信機の中からそれぞれの通信機に付与された識別子に基づいて受信可能な通信機を特定し、その特定された通信機に発信側の通信機からの通信情報を送信するように通信を制御することを特徴とする通信制御方法。
【請求項２】
前記識別子が変更可能であり、変更された識別子が変更前の識別子に上書きして格納されることを特徴とする請求項１に記載の通信制御方法。
【請求項３】
発信側の通信機からの通信情報を受信側の通信機に送信するときの通信を制御する通信制御システムであって、
所有者が保有する複数の通信機にそれぞれ付与された同一の認識番号と、それぞれの通信機を識別する固有の識別番号と、その通信機の通信機能ないし通信状態を識別する識別子とを通信機ごとに組にして格納する格納手段と、
発信側の通信機から受信側の通信機に付与された認識番号を用いて通信を行ったとき、前記格納手段に格納された該認識番号を有する通信機の中からそれぞれの通信機に付与された識別子に基づいて受信可能な通信機を特定し、その特定された通信機に発信側の通信機からの通信情報を送信するように通信を制御する通信制御手段と、
を有することを特徴とする通信制御システム。
【請求項４】
前記識別子が変更可能であり、変更された識別子が変更前の識別子に上書きして前記格納手段に格納されることを特徴とする請求項３に記載の通信制御システム。
【発明の詳細な説明】
【技術分野】
【０００１】
本発明は、発信側の通信機からの通信情報を受信側の通信機に送信するときの通信を制御する通信制御方法および通信制御システムに関する。
【背景技術】
【０００２】
近年、通信技術の発達により複数の通信機を用いて種々の形態の通信が可能になっている。たとえば、携帯電話を用いて相手側の保有する携帯電話や固定電話に電話がかけられるだけでなく、その相手側のパソコンのメールアドレスにメールを送信したり、そのパソコンにデータを送信することができる。
【０００３】
このとき、携帯電話に電話をかける場合はその相手側の携帯電話番号を用いて発呼を行い、また固定電話に電話をかける場合は、その同一相手が保持する固定電話番号を用いて通信を確立しており、メールを送信する場合には、その同一相手が保有するメールアドレスを知って、またパソコンにデータを送る場合にはそのパソコン（ないしはゲートウエイ）に付与された固定ＩＰアドレスを知って通信を行っている。
【０００４】
このように、従来では、携帯電話、固定電話、パソコンなどの特定の通信機同士での情報の送受を行う場合、各通信機を認識する単一の認識番号（携帯電話番号、固定電話番号、メールアドレス）に対して単一の通信機が対応する１対１の関係となっている。
【発明の開示】
【発明が解決しようとする課題】
【０００５】
しかしながら、従来の通信システムでは、次のような欠点がある。
【０００６】
（１）別の通信機を使用して特定の通信機と通信を行いたいと所有者が望む場合、別の認識番号が必要となる。例えば、家の固定電話と携帯電話とパソコンで通信を行う場合、それぞれの電話番号もしくは通信番号が必要となる。
【０００７】
（２）複数の通信機を使用して通信を行いたいと所有者が望む場合、複数の認識番号を保有する必要があり、通信相手（交換機を含む）に対して複数の認識番号を認識ないしは登録してもらう必要がある。例えば、複数の携帯端末を保有する場合、複数の電話番号を保有する必要がある。
【０００８】
（３）現在保有している認識番号で別の通信機を使用して通信を行いたいと所有者が望む場合、認識番号と通信機の組み合わせ（紐付け）を変える必要がある。例えば、携帯電話で別の端末を使用したいと望む場合、機種交換作業が必要となる。
【０００９】
（４）現在所有している認識番号と通信機の組み合わせ（紐付け）を変える場合、所有者ではなく通信サービス提供者が作業を実施する必要がある。例えば、携帯電話の機種交換を行う場合、電話サービスを提供している通信サービス事業者が電話番号と端末の紐付けを変換しなければならない。
【００１０】
本発明は、このような問題点を解消するためになされたもので、同一の認識番号で複数の通信機と通信を行うことが可能な通信制御方法および通信制御システムを提供することを課題とする。
【課題を解決するための手段】
【００１１】
本発明は、
発信側の通信機からの通信情報を受信側の通信機に送信するときの通信を制御する通信制御方法およびシステムであって、
所有者が保有する複数の通信機にそれぞれ付与された同一の認識番号と、それぞれの通信機を識別する固有の識別番号と、その通信機の通信機能ないし通信状態を識別する識別子とを通信機ごとに組にして格納すること、
発信側の通信機から受信側の通信機に付与された認識番号を用いて通信を行ったとき、前記格納された該認識番号を有する通信機の中からそれぞれの通信機に付与された識別子に基づいて受信可能な通信機を特定し、その特定された通信機に発信側の通信機からの通信情報を送信するように通信を制御すること、
を特徴とする。
【発明の効果】
【００１２】
本発明では、一つの認識番号に対して複数の通信機が対応する１対Ｎの関係となるため、単一の認識番号でも複数の通信機と通信することができる。このため、複数の通信機で通信を行う場合、通信相手先に複数の通信先を認識してもらう必要は無く、単一の認識番号を認識してもらうだけでよい。
【００１３】
従って、本発明を使用した場合でも、通信機の所有者は従前どおり認識番号のみを認知していれば良く、識別番号と識別子は認知しなくても通信が可能であり、使用方法や使い勝手が格段に向上する。
【００１４】
また、通信機の所有者が使用する通信機を変更したい場合、通信サービス提供者ではなく所有者自身が任意のタイミングで変更することが可能となる。
【発明を実施するための最良の形態】
【００１５】
以下、図面に示す実施例に基づいて本発明を詳細に説明する。
【実施例】
【００１６】
図１には、発信側の複数の通信機１と受信側の複数の通信機２が、この実施例に示す通信を制御するＣＰＵなどで構成された通信制御装置（通信制御手段）３を介して通信を行う状態が模式的に図示されている。発信側の通信機１は、複数の通信機（ｊ）（ｊ＝ｎ１、ｎ２、ｎ３．．．．．ｎｎ）として、また受信側の通信機２は、複数の通信機（ｋ）（ｋ＝ｍ１、ｍ２、ｍ３、．．．．．ｍｎ）として図示されている。
【００１７】
通信機は具体的には、携帯電話、固定電話、ＩＰ電話、パーソナルコンピュータ（以下、ＰＣ）、ファックスなどを含む通信複合機、その他の通信端末などであり、発信側の複数の通信機（ｊ）は同じ所有者Ｘにより保有されており、また受信側の複数の通信機（ｋ）は異なる場所の所有者Ｘとは異なる所有者Ｙにより保有されている。本実施例では、発信側の所有者は複数の通信機を保有しているが、単一の通信機を保有するだけであってもよい。
【００１８】
発信側の複数の通信機（ｊ）には同じ認識番号（１）が付与されており、また受信側の複数の通信機（ｋ）にも、認識番号（１）とは異なる同じ認識番号（２）が付与されている。また、各通信機ｎ１、ｎ２、ｎ３、．．．．．ｎｎ：ｍ１、ｍ２、ｍ３、．．．．．ｍｎには、その通信機をそれぞれ識別する固有の識別番号ｒ１、ｒ２、ｒ３、．．．．．ｒｎ：ｓ１、ｓ２、ｓ３、．．．．．ｓｎと  各通信機の通信機能ないし通信状態を識別する識別子が付与されている。
【００１９】
通信制御装置３は電話交換機、ゲートウェイ装置などで構成され、通信機に付与された認識番号と識別番号と識別子はそれぞれ通信機ごとに、通信制御装置３に設けられた格納手段としてのハードディスクなどで構成される外部記憶装置４にデータベース４ａの形で格納される（図２）。通信制御装置３は、発信側の通信機から受信側の通信機に付与された認識番号を用いて通信を行ったとき、記憶装置４に格納された認識番号を有する通信機の中からそれぞれの通信機に付与された識別子に基づいて受信可能な通信機を特定し、その特定された通信機に発信側の通信機からの通信情報を送信できるように通信を制御する。
【００２０】
本実施例では、認識番号は、図２に示すように、１１桁の番号であり、たとえば所有者が有する携帯電話の電話番号とすることができる。また、認識番号は通信機を識別する番号であり、通信機が携帯電話、固定電話、ＩＰ電話である場合にはそれぞれの電話に与えられている電話番号とし、ＰＣである場合には固定ＩＰアドレス、通信複合機である場合にはファックス番号、その他の通信端末である場合には、その通信端末にアクセスできる固有の番号とすることができる。
【００２１】
また、識別子は各通信機の通信機能ないし通信状態を識別するものであり、本実施例では、図３に示すような識別子が用意されている。通信制御装置３は、通信機に与えられた識別子の内容に基づいて受信可能な通信機を特定する。後述するように通信機に付与された識別子を変更してその通信機との通信機能ないし通信状態を変更することができ、また図３に示した以外に、新たに識別子を創設して通信機に付与したり、あるいは付与し直すことができる。
【００２２】
図４には、通信機の認識番号、識別番号、識別子を登録する流れが図示されている。
【００２３】
今、通信機ｒ１を登録する場合、この通信機の番号保有状況は、製造時には認識番号はなく、識別番号は初期値（１７２．２２２．２２２）が設定され、識別子はなしとなっている（ブロックＢ１）。それに応じて通信制御装置３でのこの通信機ｒ１の登録状況は、認識番号、識別番号、識別子ともいずれも未登録である（ブロックＢ２）。
【００２４】
まず、通信機ｒ１の保有者Ｘが保有する認識番号（０１２３４５６７８９０）を通信機ｒ１に登録し（ステップＳ１）、この通信機の認識番号と識別番号が通信制御装置３の記憶装置４に仮登録される（ステップＳ２）。通信制御装置３は認識番号と識別番号の組み合わせが一意であるかどうかを判断し（ステップＳ３）、一意であるときは認識番号と識別番号を正式に記憶装置４に格納し登録する（ステップＳ４）。
【００２５】
一方、一意でない場合には、識別番号を一意になるように変更し、上書き処理を実施して（ステップＳ５）、通信機側の識別番号の値を通信制御装置と同値となるように同期処理を行って一致させ（ステップＳ６）、記憶装置４に認識番号と識別番号を正式に登録する（ステップＳ４）。
【００２６】
続いて、通信制御装置３は通信機の識別子の初期値（ＮＡ）を定めてそれを登録し（ステップＳ７）、その初期値を通信機ｒ１に登録する（ステップＳ８）。これにより、登録された通信機ｒ１の番号保有状況が確定し（ブロックＢ３）、通信制御装置３の記憶装置４には、図２に示したように、通信機ｒ１に関連してその認識番号と識別番号と識別子がそれぞれデータベース化されて格納される。
【００２７】
以上の各ステップは、所有者Ｘが保有する通信機ｒ２、ｒ３、．．．．．ｒｎに対して行われ、また所有者Ｙが保有する通信機ｓ１〜ｓｎに対しても行われる。同様に、図１には図示してないが、本発明のシステムを利用する他の所有者が保有する複数の通信機に対しても行われる。このように、すべての通信機が登録されたときの記憶装置４に記憶されたデータが図２にデータベース４ａとして一部省略して図示されている。
【００２８】
次に、このような構成の通信制御システムを利用して通信を行う例を図５、図６を参照して説明する。
【００２９】
図５には、ＰＣ１１、固定電話１２、通信端末１３、ＩＰ電話１４、携帯電話１５の通信機を保有する発信者１０が、ＰＣ３１、通信複合機３２、通信端末３３、携帯電話３４、携帯電話３５の通信機を保有する受信者３０に通信を行う構成が図示されている。
【００３０】
ＰＣ１１、３１はそれぞれモデム１６、３６を介してインターネット２１に入り、交換局２２を介して他の通信機と情報を送受する。固定電話１２、通信端末１３、ＩＰ電話１４、通信複合機３２、通信端末３３、携帯電話３４は基地局１７、１８、１９、３７、３８、３９を介して交換局２２と接続可能であり、互いに情報を交換することができる。また、携帯電話１５、携帯電話３５は中継局２０、４０を介して基地局１９、３９に接続可能で、同様に他の通信機と情報を送受することができる。
【００３１】
発信者側の通信機と受信者側の通信機の通信は、記憶装置２４（図１の記憶装置４に対応）のデータに基づいて交換局２２内の通信制御装置２３（図１の通信制御装置３に対応）により、通信機の種別並びに通信情報の種類に応じて回線交換あるいはパケット交換により、各通信機に適する通信プロトコールを用いて行われる。
【００３２】
今、受信者３０の保有する通信機３１〜３５が図２、図５に示すように登録されており、発信者１０の保有する通信機１１〜１５も、図２、図５には図示されていないが、同様に、その認識番号、識別番号、識別子が登録されているとする。
【００３３】
今、発信者１０が携帯電話１５を用いて受信者３０に通信を行うとすると、まず図６のステップＳ１１で通信試行がなされ、携帯電話１５の識別子が発信するために適切な識別子となっているかが判断される（ステップＳ１２）。たとえば、その識別子が「ＮＡ（通信不可）」あるいは「ＯＤＲ（データ受信のみ可）」となっていると、送信できない状態であるので、エラー結果を返し、通信されないまま終了する（ステップＳ１４）。
【００３４】
ステップＳ１２で通信に適切な識別子であることが判断された場合には、ステップＳ１３に移行して受信者３０の保有する各通信機に付与されている認識番号「２１２３４５６７８９０」を発信する。通信制御装置２３はその信号を受信して通信可能かどうかを判断する（ステップＳ１５）。たとえば、発信した認識番号が記憶装置２４に登録されていない場合には通信が不可能なので、通信を終了する（ステップＳ１６）。
【００３５】
一方、通信可能と判断した場合には、通信制御装置２３は、記憶装置２４において認識番号「２１２３４５６７８９０」で登録されている通信機３１〜３５の中で各通信機に付与されている識別子を参照し、その識別子の内容に基づいて受信対象となっている通信機、つまり受信可能な通信機を特定する（ステップＳ１７）。たとえば、図２あるいは図５に示した通信機３１〜３５の識別子で携帯電話１５からの通信情報を受信できることを示す識別子をもつ通信機はＰＣ３１、携帯電話３５であるので、ＰＣ３１、携帯電話３５を受信可能な通信機として特定する。
【００３６】
通信制御装置２３がこのように受信可能な通信機を特定すると、その通信機に付されている識別番号から通信するために必要なプロトコールを特定し（ステップＳ１８）、特定されたプロトコールに従い、通信規格を変換して受信側の通信機を呼び出す（ステップＳ１９）。そして、通信可能であるかどうかを判断し（ステップＳ２０）、通信可能な場合には受信側の通信機を呼び出し（ステップＳ２１）、受信側の通信機が応答した後、通信を開始する（ステップＳ２２）。それに対して通信が可能でない場合には、通信を終了する。このとき、場合によってはエラーを返したり、通信制御装置にて音声を残すような処理を行うことができる（ステップＳ２３）。
【００３７】
図５に示す例では、発信側の携帯電話１５は、受信側のＰＣ３１と携帯電話３５と通信できる。携帯電話１５と携帯電話３５間では、必要に応じて通信規格を変換して通信を確立させ、通信を開始する。また、携帯電話１５とＰＣ３１間では、通信制御装置２３は、携帯電話１５からの音声データをパケットデータに変換し、各パケットに送信用のＩＰアドレスとＰＣ３１の識別番号（ＩＰアドレス）を付して、交換局２２のゲートウエイからインターネット２１を介して音声データをＰＣ３１に送信する。ＰＣ３１は、その音声データを受信して内蔵のハードディスクに格納して、必要に応じてスピーカから受信した音声データを再生する。ここで、携帯電話３５がオフになっていたり、ＰＣ３１の電源が切られている場合には、通信ができないので、ステップＳ２０の判断で通信不可となり、ステップＳ２３の処理が行われる。
【００３８】
このように、発信者１０は、単一の認識番号（「２１２３４５６７８９０」）で、受信側の複数の通信機（３１、３５）と通信することができるので、発信者１０は、各通信機を呼び出すための番号を個々に知る必要がなく、単一の認識番号を認識しているだけでよい。
【００３９】
なお、上記から理解できるように、識別子の内容により、通信機能や通信状態を変更させることができるので、所有者が使用する通信機の機能や通信状態を変更したい場合には、通信サービス提供者ではなく所有者自身が任意のタイミングで識別子を変更することが可能となる。この流れが図７に図示されている。
【００４０】
図７において、ブロックＢ５，Ｂ６は識別子変更前の通信機の番号保有状況並びに当該通信機の通信制御装置の登録状況を示すもので、図４のブロックＢ３、Ｂ４に対応している。
【００４１】
通信機を保有する保有者が、その通信機に関連して登録されている識別子を変更したい場合には、交換局２２に対して変更命令を発信する（ステップＳ３１）。この変更命令が交換局２２に受信されなかった場合は、通信制御装置２３はエラー結果を返し、識別子を変更しないで処理を終了する（ステップＳ３４）。
【００４２】
一方、識別子の変更命令が交換局２２に受信された場合には、通信制御装置２３はその内容が正当なものであるかを判断し（ステップＳ３３）。妥当なものでない場合、たとえばサポートされていない識別子やその通信機には妥当でない識別子である場合には、当該通信機はステップＳ３４の処理を行う。また妥当である場合には、通信機に付与されている識別子をその識別子に変更して仮登録する（ステップＳ３５）。
【００４３】
続いて、通信制御装置２３は、当該通信機にその識別子を変更する命令を発信し（ステップＳ３６）、当該通信機がそれを受信した場合には、通信機は識別子を変更するとともに（ステップＳ３９）、通信制御装置２３は、記憶装置２４の当該通信機に登録されている識別子を、変更命令のあった識別子に書き換えて正式に記憶装置２４に登録する（ステップＳ４０）。一方、当該通信機が変更命令を受信しなかった場合には（ステップＳ３７の否定）、ステップＳ３８に移行して通信制御装置２３は、仮登録された識別子の変更内容を元に戻して、当該通信機はステップＳ３４の処理を行う。
【００４４】
このようにして識別子を変更した後の通信機の番号保有状態並びに通信制御装置側の登録状況がブロックＢ７、Ｂ８に図示されている。
【００４５】
このように、通信機の保有者は、その通信機に付与され登録されていた識別子を変更することができるので、たとえば、図５において受信者３０が携帯電話３４と３５に登録された識別子を入れ替えることにより、携帯電話３４の識別子は「ＡＡ」（送受信可能）、携帯電話３５の識別子は「ＯＳ」（発信のみ可能）に変更することができるので、発信者１０は同じ認識番号で受信者３０の携帯電話３４と通話することができる。このとき発信者１０は、受信者３０の携帯電話の機種が変わったことは認識されない。逆に言うと、受信者３０は携帯電話の機種を変更して識別番号あるいは通信方式が変更されても、発信者には連絡する必要なく、変更した携帯電話で通話を交わすことができる。
【００４６】
このように、通信機の所有者は従前どおり所有者が保有する複数の通信機に与えられた各通信機に同一な認識番号のみを知っておればよく、各通信機に付与された固有の識別番号と識別子は認知しなくても通信が可能であり、使用方法や使い勝手が格段に向上する。
【図面の簡単な説明】
【００４７】
【図１】本発明の通信制御システムの構成を示すブロック図である。
【図２】通信制御装置の記憶装置に記憶されるデータを示した表図である。
【図３】通信機に付与される識別子の内容を示した表図である。
【図４】通信機に認識番号、識別番号、識別子を付与し登録する流れを示した流れ図である。
【図５】発信者が本発明のシステムを利用して受信者の通信機と通信を行う状態を示した説明図である。
【図６】通信制御装置が受信可能な通信機を特定し、その特定された通信機と通信を開始する流れを示した流れ図である。
【図７】識別子を変更して登録する流れを示した流れ図である。
【符号の説明】
【００４８】
１    通信機
２    通信機
３    通信制御装置（通信制御手段）
４    記憶装置（格納手段）
１１〜１５、３１〜３５  通信機
２１  インターネット
２２  交換局
２３  通信制御装置（通信制御手段）
２４  記憶装置（格納手段）
【図１】
2008085405.tif 000003
【図２】
2008085405.tif 000004
【図３】
2008085405.tif 000005
【図４】
2008085405.tif 000006
【図５】
2008085405.tif 000007
【図６】
2008085405.tif 000008
【図７】
2008085405.tif 000009